(57)【特許請求の範囲】
【請求項１】
リール本体の左右側板間に設けられ、釣糸が巻回されるスプールと、
前記スプールを回転駆動する駆動モータと、
前記スプール上方の左右側板間に配置され、前記駆動モータの駆動を制御する制御ユニットと、
を有する魚釣用電動リールであって、
前記制御ユニットは、ＩＣモジュールを収容した制御ケースと、この制御ケースの少なくとも上面部を覆うカバー部材と、前記駆動モータの出力を調整するモータ操作部材と、を備えており、
前記モータ操作部材は、前記カバー部材に固定される取付部材に支持され、前記制御ケースは、前記カバー部材に取り付けられており、
前記取付部材は、前記モータ操作部材の回転軸方向に延びる軸部を有し、
前記モータ操作部材は、略円筒形状に形成され、その筒状内部に前記軸部が挿入されていることを特徴とする魚釣用電動リール。
【請求項２】
リール本体の左右側板間に設けられ、釣糸が巻回されるスプールと、
前記スプールを回転駆動する駆動モータと、
前記スプール上方の左右側板間に配置され、前記駆動モータの駆動を制御する制御ユニットと、
を有する魚釣用電動リールであって、
前記制御ユニットは、ＩＣモジュールを収容した制御ケースと、この制御ケースの少なくとも上面部を覆うカバー部材と、前記駆動モータの出力を調整するモータ操作部材と、を備えており、
前記制御ケースは、前記カバー部材に取り付けられており、
前記モータ操作部材は、前記カバー部材に対して回転可能に両軸支持されると共に、その一端側は、回転操作量を検知可能な角度センサで支持されていることを特徴とする魚釣用電動リール。
【請求項３】
前記角度センサは、前記カバー部材に固定される取付部材の一部を兼ねることを特徴とする請求項２に記載の魚釣用電動リール。
【請求項４】
前記制御ケースは、前記カバー部材に対して着脱可能に取り付けられていることを特徴とする請求項１から３のいずれか１項に記載の魚釣用電動リール。
【請求項５】
前記モータ操作部材は、前記カバー部材に対して着脱可能に支持されていることを特徴とする請求項１から４のいずれか１項に記載の魚釣用電動リール。
【発明の詳細な説明】
【技術分野】
【０００１】
本発明は、魚釣用電動リールに関する。
【背景技術】
【０００２】
従来、魚釣用電動リールは、主に深場の釣りに適用させるべく、仕掛けの放出から巻き取りに至るまで、釣竿を船縁に装着された竿掛けに置いたままの状態で行えるように構成されたものが多いが、最近では、手持ち状態での操作が行い易いように工夫されたものが知られている。
【０００３】
例えば、スプールを巻き取り駆動するモータ操作部材（以下、操作部材と称する）を、様々な位置に配置することが知られており、特許文献１には、制御ケースの上面から円板状の回転摘み（操作部材）の一部を露出させ、リール本体を把持した状態で上方から親指を押し付けながら回転操作することで、モータ出力を連続的に可変させる構成が開示されている。
【先行技術文献】
【特許文献】
【０００４】
【特許文献１】特開２００３−９２９５９号
【発明の概要】
【発明が解決しようとする課題】
【０００５】
上記したように、最近の魚釣用電動リールでは、ルアーフィッシングに用いられるタイプの魚釣用リール（ベイトキャスティングリール）と同様、手持ち状態で操作することが可能なタイプが望まれている。このような手持ち状態で操作をするためには、上記した特許文献１に開示されているように、リール本体を把持した状態でモータの出力調整が行えるように、操作部材を制御ケース部分に設ける必要がある。
【０００６】
しかし、リール本体を把持する手の親指でモータ出力操作を行う場合、モータ操作だけではなくリール本体を把持する役目もあることから、急に大きな魚がかかった場合、操作部材に強い負荷が加わってしまい、これにより制御ケースが変形したり、また、衝撃も加わり易いことから、制御ケース内に収容されたＩＣ基板等を有するＩＣモジュールに損傷を与えるという問題がある。
【０００７】
本発明は、上記した問題に着目してなされたものであり、ＩＣモジュールを収容した制御ケースにモータ出力操作部材を設けた魚釣用電動リールにおいて、ＩＣモジュールに対する負荷がかかり難い魚釣用電動リールを提供することを目的とする。
【課題を解決するための手段】
【０００８】
上記した目的を達成するために、本発明に係る魚釣用電動リールは、リール本体の左右側板間に設けられ、釣糸が巻回されるスプールと、前記スプールを回転駆動する駆動モータと、前記スプール上方の左右側板間に配置され、前記駆動モータの駆動を制御する制御ユニットと、を有しており、前記制御ユニットは、ＩＣモジュールを収容した制御ケースと、この制御ケースの少なくとも上面部を覆うカバー部材と、前記駆動モータの出力を調整するモータ操作部材と、を備えており、前記モータ操作部材は、前記カバー部材に支持され、前記制御ケースは、前記カバー部材に取り付けられていることを特徴とする。
【０００９】
上記した構成の魚釣用電動リールでは、スプール上方の左右側板間に配置される制御ユニットが、ＩＣモジュールを収容した制御ケースの上面部をカバー部材で覆った構成となっており、カバー部材にモータ操作部材を支持した構成となっているため、実釣時において、リール本体と共に制御ユニットを把持している状態で、突然、大きな魚がかかる等、大きな負荷が制御ユニットやモータ操作部材に加わっても、その負荷（変形させようとする負荷）は、カバー部材で受け止めることが可能となる。すなわち、ＩＣモジュールを収容した制御ケースには負荷を作用させないことから、デリケートな制御ケースを変形させるようなことはなく、また、制御ケースに対する衝撃を抑えることが可能となる。
【００１０】
なお、上記した構成において、ＩＣモジュールとは、駆動モータの制御を果たすと共に、各種の情報を表示する画像表示部（液晶パネル）や各種の情報を入力する操作部（操作ボタン）等を制御する部分が該当し、各種の制御プラグラムや画像表示データ等を記憶して、これらを制御処理する制御基板を含んで構成される。また、制御ケースには、前記液晶パネルや操作ボタンを収容していても良く、これらの構成要素の一部は、制御ケースから外部に露出した状態となっていても良い。このため、カバー部材には、そのような液晶パネルや操作ボタンを露出させる開口が形成されていても良い。
【００１１】
また、上記した構成では、前記制御ケースは、前記カバー部材に対して予め固定されていても良いし、着脱可能に取り付けられていても良い。同様に、前記モータ操作部材は、前記カバー部材に対して一体的に支持された状態になっていても良いし、着脱可能に支持されていても良い。また、前記モータ操作部材については、前記カバー部材に対して直接、支持されていても良いし、カバー部材に固定される取付部材に対して支持されていても良い。
【発明の効果】
【００１２】
本発明によれば、ＩＣモジュールを収容した制御ケースにモータ出力操作部材を設けた魚釣用電動リールにおいて、ＩＣモジュールに対する負荷がかかり難い構成が得られる。
【図面の簡単な説明】
【００１３】
【図１】本発明の第１の実施形態に係る魚釣用電動リールの平面図。
【図２】図１のＡ−Ａ線に沿った断面図。
【図３】図２のＢ−Ｂ線に沿った断面図。
【図４】図３のＣ−Ｃ線に沿った断面図。
【図５】（ａ）は、図１に示した制御ユニット部分を示す平面図、（ｂ）は、制御ユニット部分を裏側から見た図。
【図６】制御ユニットの分解斜視図。
【図７】本発明の第２の実施形態に係る魚釣用電動リールを示し、制御ユニット部分の平面図。
【図８】図７に示す制御ユニットの分解斜視図。
【発明を実施するための形態】
【００１４】
以下、図面を参照しながら、本発明に係る魚釣用電動リールの実施形態について説明する。  
図１から図６は、本発明の第１の実施形態を示す図であり、図１は平面図、図２は図１のＡ−Ａ線に沿った断面図、図３は図１のＢ−Ｂ線に沿った断面図、図４は図３のＣ−Ｃ線に沿った断面図、図５（ａ）は図１に示した制御ユニット部分を示す平面図、図５（ｂ）は制御ユニット部分を裏側から見た図、そして、図６は制御ユニットの分解斜視図である。
【００１５】
本実施形態に係る魚釣用電動リール１は、左右のフレーム３ａ，３ｂに左右カバー４ａ，４ｂを取着して構成される左右側板５Ａ，５Ｂを具備したリール本体５を有している。前記リール本体５を構成する一方の側板（右側板５Ｂ）側には、巻取り操作される手動ハンドル６が設けられており、左右側板５Ａ，５Ｂ間には、釣糸が巻回されるスプール７がスプール軸７ａを中心に回転可能に支持されている。また、本実施形態では、スプール７の前方側における左右側板５Ａ，５Ｂ間に駆動モータ８を保持しており、スプール７は、手動ハンドル６の巻取り操作および駆動モータ８の回転駆動によって、動力伝達機構１０を介して釣糸巻取り方向に回転駆動される。なお、駆動モータ８は、スプールの内部に収容される構成であっても良い。
【００１６】
前記動力伝達機構１０については、駆動モータ８の回転駆動力を減速してスプール７側に伝達する機能、駆動モータ８が回転駆動しても手動ハンドル６を連れ回しさせない機能や手動ハンドル６の逆回転を防止する機能などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。なお、図において、符号１２は、ハンドル６に結合されたハンドル軸、符号１３は、ハンドル軸１２に回転可能に支持されたドライブギヤ、符号１４は、ドライブギヤ１３に噛合するピニオンであり、これらは前述した動力伝達機構１０を構成する。また、図中、符号１５は、魚釣時にスプール７から釣糸が繰り出された際にスプール７の回転にドラグ力を付与する公知のドラグ機構であり、リール本体５とハンドル６との間には、ドラグ機構１５によるドラグ力の調整を行なうための星型のドラグ調整ノブ（スタードラグ）１６が設けられている。
【００１７】
また、前記スプール７の前方の左右側板５Ａ，５Ｂ間には、スプール７に対して均等に釣糸を巻回する機能を備えた公知のレベルワインド機構１７が設置されている。さらに、リール本体を構成する前記左右側板５Ａ，５Ｂ間のスプール７の上方には、前記駆動モータ８を制御する制御ユニット３０が配設されている（制御ユニット３０の構成については後述する）。この制御ユニット３０は、その表面が左右側板５Ａ，５Ｂの表面と面一状に構成されてリール本体に装着されている。
【００１８】
また、前記リール本体５内には、スプール７を釣糸巻き取り状態／フリー回転状態に切り換える公知のクラッチ機構１８が配置されている。このクラッチ機構１８は、上記した動力伝達機構１０に介在されて手動ハンドル６及び駆動モータ８からの動力伝達を継脱する機能を備えており、本実施形態では、右側板５Ｂ側に設置されている。
【００１９】
前記クラッチ機構１８は、スプール７をサミングしながら操作が可能となる位置、具体的には、スプール７の後方側の左右側板５Ａ，５Ｂ間に橋設されたクラッチＯＦＦ切換部材１９を備えており、その表面に親指を載置して下方に押し下げ操作することで、クラッチ機構１８をＯＮ状態からＯＦＦ状態に切り換える（スプールを釣糸巻き取り状態からフリー回転状態に切り換える）よう構成されている。また、クラッチ機構１８は、スプール７をサミングしている指（親指）が届く位置、具体的には、スプール７の後方側の右側板表面に揺動可能に支持されたクラッチＯＮ切換部材２０を備えており、その表面に親指を載置して下方に押し下げ操作することで、クラッチ機構１８をＯＦＦ状態からＯＮ状態に切り換える（スプールをフリー回転状態から釣糸巻き取り状態に切り換える）よう構成されている。
【００２０】
前記リール本体５には、駆動モータ８に対して電力を供給するための給電部２２が設けられている。この給電部２２は、左側板５Ａの前方側の下面領域に形成されており、この給電部２２に対しては、着脱可能な携帯バッテリ（図示せず）を装着したり、或いは、足元に置いたバッテリや釣り船に設置されている電源部から電力供給される給電コードが装着される。
【００２１】
前記左右側板５Ａ，５Ｂ間のスプール７の上方の左右側板間には、前記スプール７の前方側から駆動モータ８の上方を覆うように、駆動モータ８を制御する制御ユニット３０が配設されている。  
この制御ユニット３０は、ＩＣモジュール３２を収容した制御ケース３１と、この制御ケースの少なくとも上面部（露出する表面であり、親指が載置される部分）を覆うカバー部材３３と、駆動モータ８の出力を調整するモータ出力操作部材（以下、操作部材と称する）３５とを備えている。
【００２２】
前記制御ケース３１は、箱型に構成されており、その内部には、ＩＣモジュール３２が収容されている。この場合、ＩＣモジュール３２は、各種の制御プラグラムや画像データ等を記憶したメモリ、制御処理を実行するＣＰＵ（Central Processing Unit）等を実装した制御基板３２ａ、及び、駆動モータ等、各種駆動要素を駆動する駆動回路を実装した回路基板３２ｂ等を含んでいる。  
また、制御ケース３１には、前記制御処理によって各種の情報を表示する画像表示部（液晶パネル）３２ｃ、各種の情報を入力する操作部（操作ボタン）３２ｄ等が収容されている。この場合、これらの要素は、全てが制御ケース３１の内部に収容されていても良いが、その一部、具体的には、図２に示すように、液晶パネル３２ｃや操作ボタン３２ｄは、制御ケース３１の表面から外部に露出した状態となっていても良い。このため、制御ケース３１の上面部を覆うカバー部材３３には、図６に示すように、液晶パネル３２ｃを露出させる開口３３ａや、操作ボタン３２ｄを突出させる開口３３ｂが形成されている（カバー部材３３を透明にすることで、液晶パネル３２ａ部分を覆うようにしても良い）。  
なお、制御ケース３１は、カバー部材３３に取り付けられた状態で、前記制御ユニット３０を構成しており、リール本体５の左右側板間に配設される。
【００２３】
前記操作部材３５は、円筒形状（円柱状でも良い）に形成されており、その長手軸が前記スプール軸と略平行（±３０度以内の略平行でも良い）となるように、制御ケース３１の後方側に回転可能に支持されている。具体的には、操作部材３５は、前記制御ケース３１を覆うカバー部材３３に回転可能に支持されている。
【００２４】
ここで、本実施形態のカバー部材３３の構成、操作部材３５の構成、及び、その支持態様について説明する。  
前記カバー部材３３は、図６に示すように、制御ケース３１の表面３１Ａを覆う表面部３３Ａと、制御ケース３１の前端面３１Ｂを覆う前端部３３Ｂと、制御ケース３１の後端面３１Ｃの中央領域を覆う後端部３３Ｃと、この後端部３３Ｃの両サイドで、前記表面部３３Ａから後方に延在する一対の支持部３３Ｄとを備えており、これらは一体形成されている。この場合、カバー部材３３に一対の支持部３３Ｄを形成したことにより、制御ケース３１をカバー部材３３に取り付けると、図５（ａ）に示すように、制御ユニット３０の後方側には、その中央領域に凹陥部（開放部）３３Ｅが形成され、この凹陥部３３Ｅを横切るようにして、前記操作部材３５が回転可能に配置される（操作部材３５の操作領域３５ａが露出する）。
【００２５】
本実施形態では、前記制御ケース３１は、カバー部材３３に対して着脱できるように構成されている。このため、例えば、制御ケース３１及びカバー部材３３には、適所にネジ孔（図６では、制御ケース３１のネジ孔３１ｅのみが示されている）が形成されており、これらは、両者を組み付けた状態で一致するように設定され、ここに止め螺子３７を螺入することで、両部材は、着脱可能に構成されている。
【００２６】
また、前記操作部材３５については、その両端側が直接カバー部材に対して支持されていても良いが、本実施形態では、その両端側が、それぞれカバー部材３３に形成された一対の支持部３３Ｄに、以下の取付部材を介して、着脱可能となるように回転可能に支持されている。  
すなわち、前記操作部材３５は、図３に示すように、中空円筒状に形成されており、前記カバー部材３３の各支持部３３Ｄにそれぞれ固定される取付部材３８，３９を介して回転可能に両軸支持されている。
【００２７】
前記一方側の取付部材３８は、基部３８ａと、円柱状の軸部（円筒状であっても良い）３８ｂを備えた軸部材として構成されている。前記基部３８ａ（取付部材３８）には、固定螺子孔３８ｃが形成されており、基部３８ａを支持部３３Ｄに対して裏側から当て付けた状態で、止め螺子４０を支持部３３Ｄに形成されたネジ孔３３ｇに螺入することで、取付部材３８はカバー部材３３に対して着脱可能に固定されている。  
また、他方側の取付部材３９は、略円柱形状の角度センサ４５を保持した状態で、対向する支持部３３Ｄに対して固定されている。すなわち、取付部材３９には、図６に示すように、角度センサ４５の下面側を受ける円弧状の受け面３９ａと固定螺子孔３９ｃが形成されており、角度センサ４５の上面側を支持部３３Ｄに対して裏側から当て付けた状態で、止め螺子４２支持部３３Ｄに形成されたネジ孔３３ｇに螺入することで、取付部材３９はカバー部材３３に対して着脱可能に固定されている。これにより、角度センサ４５は、取付部材３８の基部３８ａと同様、取付部材３９の基部としての機能を有し、取付部材３９の一部としての機能を備えている。
【００２８】
前記角度センサ４５の軸部４５ａは、操作部材３５と共に回転駆動され、その操作角度を検知するようになっている。具体的には、前記操作部材３５の内部には、区画壁３５ｂが形成されており、左側の円形開口３５ｃ側から前記取付部材３８の軸部３８ｂが挿入され、操作部材３５の断面円形状の内周面３５ｅが軸部３８ｂの軸心と同軸となるように配置されている。この場合、軸部３８ｂの外周面３８ｅと前記内周面３５ｅとの間は、弾性部材５０を介して一定の隙間が維持されている。一方、右側の円形開口３５ｄ側からは、角度センサ４５の円柱基部（軸受部）４５ｂがカラー４７を介して圧入され、円柱基部４５ｂの中心に突出する前記軸部４５ａが区画壁３５ｂを貫いてナット４８で固定されている。これにより、操作部材３５は、軸部３８ｂの回りに回転可能となっており、カバー部材３３に対して回転可能に両軸支持された状態となっている。そして、操作部材３５の回転操作量については、一体回転する軸部４５ａを介して前記角度センサ４５によって検出され、駆動モータ８の出力は、操作部材３５の操作位置に応じて調整することが可能となる。
【００２９】
前記カバー部材３３の両支持部３３Ｄ，３３Ｄについては、同一形状で、上記した取付部材３８の基部３８ａの上面側と、角度センサ４５の上面側を受けるように、それぞれ同一の円弧状の支持面３３ｈを形成しておくことが好ましい。すなわち、角度センサ４５の形状と取付部材３８の基部３８ａの形状とを同じにすることで、角度センサ４５を左側に配設することも可能となり、更には、円弧状の支持面３３ｈで基部３８ａ及び角度センサ４５を受けるように構成することで、円弧面全体に負荷が分散し、カバー部材３３を薄く形成することが可能となる。
【００３０】
上記したように構成される操作部材３５は、下側から回転操作（スプールをサミングしたまま親指を伸ばして押し上げるような回転操作）することが可能であり、かつ、上方からリール本体を押さえ付けた状態でも回転操作することが可能となっている。この場合、操作部材３５の回転節度は、軸部３８ｂの外周面と、操作部材３５の内周面３５ｅとの間に介在される弾性部材５０の摩擦力によって特定されるが、以下のような構造によって、その回転節度は調整可能に構成されている。
【００３１】
前記軸部３８ｂの外周面３８ｅには、複数の周方向溝３８ｆ，３８ｇ，３８ｈが形成されている。これらの周方向溝は、軸方向に沿って隣接して形成されており、各周方向溝の外径は異なるように形成されている。具体的には、端部側の周方向溝３８ｆの外径＜中央の周方向溝３８ｇの外径＜基端側の周方向溝３８ｈの外径となるように形成されており、端部側の周方向溝が深くなるように形成されている。また、周方向溝３８ｆ，３８ｇ，３８ｈは、操作領域（本実施形態では、膨出して指が当接する領域３８ａ）Ｗの範囲内に形成されていることが好ましく、これにより、操作部材３５の操作性の安定化を図ることが可能となる。
【００３２】
そして、これらの周方向溝の少なくとも１箇所には、操作部材３５の内周面３５ｅと接する弾性部材５０が配設されている。この弾性部材５０は、Ｏリングとして構成されており、弾性変形可能なように、加硫ゴムや熱可塑性エラストマー等によって形成され、前記外径が異なるいずれかの周方向溝に配設することで、操作部材３５の内周面３５ｅに対する圧接力が変わり、操作部材３５を回転操作する際の節度を変更（調整）することが可能となっている。なお、これらの周方向溝の複数個所に弾性部材５０を配設することで、より節度を高めることも可能となる。特に本実施形態では、操作部材３５は、カバー部材３３に対して着脱可能となっているため、節度を変更（調整）することが容易となる。
【００３３】
上記したように構成される制御ユニット３０は、リール本体５の左右側板間に、リール本体の表面と面一状に設置される。この場合、ＩＣモジュール３２を収容した制御ケース３１の上面部（露出領域）がカバー部材３３で覆われているため、制御ケースが保護されると共に、カバー部材３３に操作部材３５が支持されているため、操作部材３５に大きな力がかかっても、直接、制御ケース３１に負荷が作用することはない。すなわち、実釣時において、リール本体５と共に制御ユニット３０を把持している状態で、突然、大きな魚がかかる等、大きな負荷が制御ユニット３０や操作部材３５に加わっても、その負荷（変形させようとする負荷）は、カバー部材３３で受け止められることから、ＩＣモジュール３２を収容した制御ケース３１に負荷が作用することはなく、デリケートな制御ケース３１を変形させることが防止され、また、制御ケース３１に対する衝撃を抑えることが可能となる。
【００３４】
また、本実施形態では、制御ケース３１は、カバー部材３３に対して着脱可能に取り付けられているため、ＩＣモジュールの構成要素が損傷したり動作不良があった場合でも、制御ケース３１を交換するだけで済み、修理費用を安くすることが可能となる。勿論、カバー部材３３が損傷した場合でも、カバー部材のみを交換することが可能であるため、修理費用を安くすることが可能となる。
【００３５】
同様に、本実施形態では、操作部材３５についても、カバー部材３３に対して着脱可能となっているため、操作部材３５が破損などした場合でも、操作部材のみを交換するだけで済み、修理費用を安くすることが可能となる。
【００３６】
また、本実施形態では、操作部材３５は、操作部材を回転可能に支持する取付部材３８，３９を介してカバー部材３３に対して着脱可能に固定されているため、限られたスペースを有効に活用できると共に、操作部材３５（取付部材３８，３９）をカバー部材３３に対して、強固かつ精度よく固定することができる。しかも、取付部材３８は、その軸部３８ｂを操作部材３５の内部に挿入し、操作部材３５を回転可能に支持していることから、軸方向の省スペース化が図れると共に、部品点数を少なくして、操作部材を強固に支持することが可能となる。
【００３７】
さらに、本実施形態では、操作部材３５は、カバー部材３３に対して回転可能に両軸支持され、一端側が角度センサ４５を介在して支持されているため、軸方向の省スペース化が図れると共に、角度センサ４５の一部を、取付部材３９の一部として構成することで、左右パーツの共通化を図ることが可能となり、角度センサ４５の配置を左右に自由に配設することが可能となる。
【００３８】
なお、上述した構成において、取付部材３８，３９は、操作部材３５の動作を滑らかにするため、変形することは好ましくなく、高い剛性を有する材料で形成されていることが好ましい。また、制御ケース３１に固定されるカバー部材３３は、他物が接触した際に、いわゆるクッションとしての役割を果たすことから、各部材の剛性（材料のヤング率）については、カバー部材３３＜制御ケース３１＜取付部材３８，３９となるように選択することが好ましい。このため、各部材を構成する材料については、例えば、カバー部材３３をＡＢＳ樹脂で形成し、制御ケース３１をＡＢＳ樹脂の耐衝撃グレードで形成し、取付部材３８，３９については、ガラス繊維複合ＰＰＳ樹脂で形成することで、そのような関係にすることが可能となる。
【００３９】
次に、本発明に係る魚釣用電動リールの別の実施形態について説明する。  
なお、以下の実施形態では、特徴的な部分について説明し、上記した実施形態と同様な構成部材については、同一の参照符号を付し、詳細な説明については省略する。
【００４０】
図７及び図８は、本発明の第２の実施形態を示しており、図７は、制御ユニット部分の平面図、図８は図７に示す制御ユニットの分解斜視図である。  
本実施形態では、駆動モータの出力を調整する操作部材をスライド式に構成している。すなわち、操作部材６５は、制御ユニット３０の表面部のカバー部材３３に形成された矩形の開口３３ｍから突出して左右方向（スプール軸方向）に沿ってスライド可能に構成されている。
【００４１】
前記操作部材６５は、その操作量を検知する検知手段（ポテンショメータ等）を収容した検知ボックス６５Ａにスライド可能に保持されており、検知ボックス６５Ａは、止め螺子７０によって、カバー部材３３の裏面側から着脱可能に固定されている。すなわち、駆動モータの出力を調整する操作部材については、カバー部材３３に対して固定されるものであれば良く、その操作方法についても、上記した実施形態における回転式以外にも、本実施形態のようにスライド式に構成する等、適宜変形することが可能である。また、その支持方法や配設位置についても特に限定されることはない。  
このような構成においても上記した実施形態と同様な作用効果が得られる。
【００４２】
以上、本発明の実施形態について説明したが、本発明は、上記した実施形態に限定されることはなく、種々変形することが可能である。  
本発明は、魚釣用電動リールにおいて、その制御ユニットが、ＩＣモジュールを収容する制御ケース、制御ケースの少なくとも上面を覆うカバー部材、カバー部材に支持される操作部材で構成されていれば良く、それ以外の構成については、上記した実施形態の構成に限定されることはない。また、カバー部材は、制御ケースの少なくとも上面を覆うものであれば良いが、全体を囲繞するような構成であっても良い。このように構成することで、制御ケースの防水性や耐衝撃性を高めることも可能となる。
【符号の説明】
【００４３】
１  魚釣用電動リール
５  リール本体
５Ａ，５Ｂ  左右側板
７  スプール
８  駆動モータ
３０  制御ユニット
３１  制御ケース
３２  ＩＣモジュール
３３  カバー部材
３５  操作部材
３８，３９  取付部材
【図１】
0005872822.tif 000002
【図２】
0005872822.tif 000003
【図３】
0005872822.tif 000004
【図４】
0005872822.tif 000005
【図５】
0005872822.tif 000006
【図６】
0005872822.tif 000007
【図７】
0005872822.tif 000008
【図８】
0005872822.tif 000009